【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ａ）式Ｉの誘電的に負の化合物を１種類以上含む誘電的に負の液晶成分（成分Ａ）と、
ｂ）式ＩＩの誘電的に中性の化合物を１種類以上含む誘電的に中性の液晶成分（成分Ｂ）とを含む負の誘電異方性のネマチック液晶媒体を調製する方法であって、
・明細書中に記載される数式（１）および（２）を用いて決定されるピーク時間（ｔｍａｘ）を０．２５ｍｓ以下とし、
・前記ピーク時間と、複屈折率の平方との商（ｔｍａｘ／Δｎ２）を２２ｍｓ以下とすることを特徴とする方法。
【化１】
2017039949.tif 000001
（式中、
【化２】
2017039949.tif 000002
他のものは、存在する場合は、それぞれ互いに独立に、同じ意味を有するかまたは以下を表し、
【化３】
2017039949.tif 000003
Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｌ１１およびＬ１２は、それぞれ互いに独立に、Ｃ−ＦまたはＮを表し、
Ｚ１１およびＺ１２は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
ｎは、０、１または２を表す。）
【化４】
2017039949.tif 000004
（式中、Ｒ２１およびＲ２２は、それぞれ互いに独立に、Ｒ１１およびＲ１２で与えられる意味の１つであり、
Ｚ２１〜Ｚ２３は、それぞれ互いに独立に、Ｚ１１およびＺ１２で与えられる意味の１つであり、
【化５】
2017039949.tif 000005
ｐおよびｑは、それぞれ互いに独立に、０または１を表す。）
【請求項２】
・明細書中に記載される数式（１）および（２）を用いて決定されるピーク時間（ｔｍａｘ）が０．２５ｍｓ以下であり、
・前記ピーク時間と、複屈折率の平方との商（ｔｍａｘ／Δｎ２）が２２ｍｓ以下であり、
ａ）式Ｉの誘電的に負の化合物を１種類以上含む誘電的に負の液晶成分（成分Ａ）と、
ｂ）式ＩＩ−１〜ＩＩ−８の化合物群から選択される誘電的に中性の化合物を１種類以上含む誘電的に中性の液晶成分（成分Ｂ）と
を含むことを特徴とする負の誘電異方性のネマチック液晶媒体。
【化６】
2017039949.tif 000006
【化７】
2017039949.tif 000007
（式中、
Ｙ１は、ＨまたはＦを表し、
Ｒ２１は、アルキルまたはアルケニルを表し、および
Ｒ２２は、アルキル、アルケニルまたはアルコキシを表す。）
【請求項３】
明細書中に記載される数式（１）および（２）を用いて決定されるピーク時間（ｔｍａｘ）が０．２５ｍｓ以下であり、
ａ）実質的に完全に、１種以上の式Ｉの誘電的に負の化合物よりなる誘電的に負の液晶成分（成分Ａ）と、
ｂ）実質的に完全に、１種以上の式ＩＩの誘電的に中性の化合物よりなる誘電的に中性の液晶成分（成分Ｂ）とを含み、
ｃ）キラル化合物（成分Ｃ）を含んでもよく、
前記成分Ａと前記成分Ｂを合計で９５％以上の量で含有し、
前記式Ｉの化合物を６０％以上、７０％以下の量で含有し、
式Ｉ−３の化合物を１種以上含有し、
式Ｉ−２の化合物を２０％以上、３０％以下の量で含有し、
複屈折率Δｎが、０．０６５〜０．１３０の範囲であること
を特徴とする負の誘電異方性のネマチック液晶媒体。
【化８】
2017039949.tif 000008
（式中、
【化９】
2017039949.tif 000009
他のものは、存在する場合は、それぞれ互いに独立に、同じ意味を有するかまたは以下を表し、
【化１０】
2017039949.tif 000010
Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｌ１１およびＬ１２は、それぞれ互いに独立に、Ｃ−ＦまたはＮを表し、
Ｚ１１およびＺ１２は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
ｎは、０、１または２を表す。）
【化１１】
2017039949.tif 000011
（式Ｉ−３中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化１２】
2017039949.tif 000012
（式中、Ｒ２１およびＲ２２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｚ２１〜Ｚ２３は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
【化１３】
2017039949.tif 000013
ｐおよびｑは、それぞれ互いに独立に、０または１を表す。）
【化１４】
2017039949.tif 000014
（式Ｉ−２中、Ｒ１１およびＲ１２は、それぞれ互いに独立に、式Ｉについて定義された意味を有する。）
【請求項４】
明細書中に記載される数式（１）および（２）を用いて決定されるピーク時間（ｔｍａｘ）が０．２５ｍｓ以下であり、
前記ピーク時間と、複屈折率の平方との商（ｔｍａｘ／Δｎ２）が２０ｍｓ以下であり、
ａ）下記式Ｉ−３の化合物を１種以上含む誘電的に負の液晶成分（成分Ａ）と、
ｂ）下記式ＩＩ−１で表される誘電的に中性の化合物を１種類以上含む誘電的に中性の液晶成分（成分Ｂ）（ただし、液晶媒体全体に占める式ＩＩ−１の化合物の割合は、２８〜４２重量％である。）と
を含むことを特徴とする負の誘電異方性のネマチック液晶媒体。
【化１５】
2017039949.tif 000015
（式Ｉ−３中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化１６】
2017039949.tif 000016
（式中、Ｒ２１およびＲ２２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよい。）
【請求項５】
明細書中に記載される数式（１）および（２）を用いて決定されるピーク時間（ｔｍａｘ）が０．２５ｍｓ以下であり、
前記ピーク時間と、複屈折率の平方との商（ｔｍａｘ／Δｎ２）が２０ｍｓ以下であり、
ａ）１種以上の下記式Ｉ−１の化合物と、１種以上の下記式Ｉ−３の化合物とを含む誘電的に負の液晶成分（成分Ａ）と、
ｂ）１種以上の下記式ＩＩの化合物を含む誘電的に中性の液晶成分（成分Ｂ）と
を含む（ただし、
・液晶媒体全体に占める式Ｉ−１およびＩ−３の化合物の割合の総和は、３６〜５１重量％であり、および
・液晶媒体全体に占める式Ｉ−３の化合物の割合は、５〜１５重量％である。）ことを特徴とする負の誘電異方性のネマチック液晶媒体。
【化１７】
2017039949.tif 000017
（式Ｉ−１中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化１８】
2017039949.tif 000018
（式Ｉ−３中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化１９】
2017039949.tif 000019
（式中、Ｒ２１およびＲ２２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｚ２１〜Ｚ２３は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
【化２０】
2017039949.tif 000020
ｐおよびｑは、それぞれ互いに独立に、０または１を表す。）
【請求項６】
明細書中に記載される数式（１）および（２）を用いて決定されるピーク時間（ｔｍａｘ）が０．２５ｍｓ以下であり、
前記ピーク時間と、複屈折率の平方との商（ｔｍａｘ／Δｎ２）が２０ｍｓ以下であり、
ａ）１種以上の下記式Ｉ−１の化合物と、１種以上の下記式Ｉ−２の化合物と、１種以上の下記式Ｉ−３の化合物とを含む誘電的に負の液晶成分（成分Ａ）と、
ｂ）１種以上の下記式ＩＩの化合物を含む誘電的に中性の液晶成分（成分Ｂ）と
を含む（ただし、
・液晶媒体全体に占める式Ｉ−１およびＩ−３の化合物の割合の総和は、３６〜５１重量％であり、および
・液晶媒体全体に占める式Ｉ−２の化合物の割合は、１５〜４５重量％である。）ことを特徴とする負の誘電異方性のネマチック液晶媒体。
【化２１】
2017039949.tif 000021
（式Ｉ−１中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化２２】
2017039949.tif 000022
（式Ｉ−２中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化２３】
2017039949.tif 000023
（式Ｉ−３中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化２４】
2017039949.tif 000024
（式中、Ｒ２１およびＲ２２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｚ２１〜Ｚ２３は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
【化２５】
2017039949.tif 000025
ｐおよびｑは、それぞれ互いに独立に、０または１を表す。）
【請求項７】
明細書中に記載される数式（１）および（２）を用いて決定されるピーク時間（ｔｍａｘ）が０．２５ｍｓ以下であり、
前記ピーク時間と、複屈折率の平方との商（ｔｍａｘ／Δｎ２）が２０ｍｓ以下であり、
ａ）１種以上の下記式Ｉ−３（ただし、Ｒ１１は１〜７個の炭素原子を有するアルキルである。）の化合物を含む誘電的に負の液晶成分（成分Ａ）（ただし、液晶媒体全体に占める式Ｉ−３の化合物の割合は、３〜１５重量％である。）と、
ｂ）１種以上の下記式ＩＩの化合物を含む誘電的に中性の液晶成分（成分Ｂ）と
を含むことを特徴とする負の誘電異方性のネマチック液晶媒体。
【化２６】
2017039949.tif 000026
（式中、Ｒ１１は１〜７個の炭素原子を有するアルキルを表し、
Ｒ１２は、１〜７個の炭素原子を有するアルキル、１〜７個の炭素原子を有するアルコキシ、２〜７個の炭素原子を有するアルコキシアルキル、またはアルケニルオキシを表す。）
【化２７】
2017039949.tif 000027
（式中、Ｒ２１およびＲ２２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｚ２１〜Ｚ２３は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
【化２８】
2017039949.tif 000028
ｐおよびｑは、それぞれ互いに独立に、０または１を表す。）
【請求項８】
明細書中に記載される数式（１）および（２）を用いて決定されるピーク時間（ｔｍａｘ）が０．２５ｍｓ以下であり、
前記ピーク時間と、複屈折率の平方との商（ｔｍａｘ／Δｎ２）が２０ｍｓ以下であり、
ａ）１種以上の下記式Ｉ−３（ただし、Ｒ１１は１〜７個の炭素原子を有するアルキルである。）の化合物と、１種以上の下記式Ｉ−２の化合物とを含む誘電的に負の液晶成分（成分Ａ）（ただし、
・液晶媒体全体に占める式Ｉ−３の化合物の割合は、３〜１７重量％であり、および
・液晶媒体全体に占める式Ｉ−２の化合物の割合は、１５〜４５重量％である。）と、
ｂ）１種以上の下記式ＩＩの化合物を含む誘電的に中性の液晶成分（成分Ｂ）と
を含むことを特徴とする負の誘電異方性のネマチック液晶媒体。
【化２９】
2017039949.tif 000029
（式Ｉ−２中、Ｒ１１およびＲ１２は、それぞれ互いに独立に、１〜７個の炭素原子を有するアルキル、１〜７個の炭素原子を有するアルコキシ、２〜７個の炭素原子を有するアルコキシアルキル、またはアルケニルオキシを表す。）
【化３０】
2017039949.tif 000030
（式中、Ｒ１１は１〜７個の炭素原子を有するアルキルを表し、
Ｒ１２は、１〜７個の炭素原子を有するアルキル、１〜７個の炭素原子を有するアルコキシ、２〜７個の炭素原子を有するアルコキシアルキル、またはアルケニルオキシを表す。）
【化３１】
2017039949.tif 000031
（式中、Ｒ２１およびＲ２２は、それぞれ互いに独立に、１〜７個の炭素原子を有するアルキル、１〜７個の炭素原子を有するアルコキシ、２〜７個の炭素原子を有するアルコキシアルキル、アルケニルまたはアルケニルオキシを表し、ただし、全ての基の１つ以上の水素原子はハロゲン原子、好ましくはフッ素原子で置き換えられていてもよく、
Ｚ２１〜Ｚ２３は、それぞれ互いに独立に、−ＣＨ２−ＣＨ２−、−Ｃ≡Ｃ−、−ＣＨ＝ＣＨ−、−ＣＦ＝ＣＦ−、−ＣＦ＝ＣＨ−、−ＣＨ＝ＣＦ−、−ＣＨ２−ＣＦ２−、−ＣＦ２−ＣＨ２−、−ＣＦ２−ＣＦ２−、−ＣＯ−Ｏ−、−Ｏ−ＣＯ−、−ＯＣＨ２−、−ＣＨ２Ｏ−、−ＯＣＦ２−、−ＣＦ２Ｏ−または単結合を表し、
【化３２】
2017039949.tif 000032
ｐおよびｑは、それぞれ互いに独立に、０または１を表す。）